(57)【要約】【課題】パルス駆動型ポンプでは時間当たりの吐出回数が多ければ問題はあまりないが、時間当たりの吐出回数が少ないと被処理水に濃度ムラが発生し、電解電流が安定せず、一定能力（ｐＨ、ＯＲＰ等）の電解水を連続生成できない。【解決手段】内部に被処理水を電気分解する電極を備える電解槽と、水道水等の原水を電解槽に供給するための供給管路と、供給管路に接続され、原水に電解助剤を送出ポンプにて添加し被処理水とするための補給管路と、電解槽から電気分解された処理水を外部に排出する排出管路とを備えた電解水生成装置において、送出ポンプがチュービングポンプであることを特徴とする。【選択図】        図１
2004148220.tif 000002
【特許請求の範囲】
【請求項１】
内部に被処理水を電気分解する電極を備える電解槽と、水道水等の原水を前記電解槽に供給するための供給管路と、該供給管路に接続され、前記原水に電解助剤を送出ポンプにて添加し被処理水とするための補給管路と、前記電解槽から電気分解された処理水を外部に排出する排出管路とを備えた電解水生成装置において、
前記送出ポンプがチュービングポンプであることを特徴とする電解水生成装置。
【発明の詳細な説明】
【０００１】
【発明が属する技術分野】
本発明は、電解水生成装置に関するものである。
【０００２】
【従来の技術】
従来、食塩、塩化カリウム、乳酸カルシウムおよび塩酸等の電解助剤を原水に添加する電解水生成装置は、特開平１１−１６５０５４号公報に示されているように、ポンプ（供給手段）４０  は、ソレノイドで駆動されるタイプであって、吐出容量（一回の吐出あたりの吐出量）が一定の電動式ポンプ（パルス駆動型ポンプ）であり、バルブハウジング４０ａ  とダイヤフラム４０ｂ  で形成・画定されたポンプ室４０ｃ  と、塩水吸い込み管Ｐ４  が接続された吸入口４０ｄ  からポンプ室４０ｃ方向への流れのみを許容する逆止弁４０ｅ  と、ポンプ室４０ｃ  から濃塩水供給管（導管）Ｐ５  が接続された吐出口４０ｆ  方向への流れのみを許容する逆止弁４０ｇ  を備えている。プランジャー４０ｈ  はダイヤフラム４０ｂと接続され、ダイヤフラムの復元力及び図示しないスプリングによってポンプ室４０ｃ  に向けて（図面上方向）付勢され、一方、ポンプ室４０ｃ  とは離れて配置され、且つ、電気制御回路５０  と接続されたソレノイド４０ｉが、電気制御回路５０  によって通電された場合にあっては、ポンプ室４０ｃ  とは逆の向き（図面下方向）に力を受けて移動するよう構成されていて、ソレノイド４０ｉへのパルス入力がある毎に（間欠的に）、所定量の濃塩水を下流（濃塩水供給管Ｐ５  ）に吐出する。
【特許文献１】
特開平１１−１６５０５４号公報
【０００３】
【発明が解決しようとする課題】
しかしながら、このパルス駆動型ポンプでは時間当たりの吐出回数が多ければ問題はあまりないが、時間当たりの吐出回数が少ないと図３の点線で示すように、濃塩水の吐出時と未吐出時との吐出量の差が大きく、被処理水に濃度ムラが発生し、電解電流が安定せず、一定能力（ｐＨ、ＯＲＰ等）の電解水を連続生成することができない。
【０００４】
この発明は、前述した従来の技術に内在している前記欠点に鑑み、これを好適に解決するべく提案されたものであって、安定した能力の電解水を生成することのできる電解水生成装置を提供することを目的とする。
【０００５】
【課題を解決するための手段】
前記課題を克服し、所期の目的を達成するために、本発明に係る電解水生成装置は、内部に被処理水を電気分解する電極を備える電解槽と、水道水等の原水を前記電解槽に供給するための供給管路と、該供給管路に接続され、前記原水に電解助剤を送出ポンプにて添加し被処理水とするための補給管路と、前記電解槽から電気分解された処理水を外部に排出する排出管路とを備えた電解水生成装置において、前記送出ポンプがチュービングポンプであることを特徴とする。
【０００６】
【発明の実施の形態】
次に本発明に係る電解水生成装置につき、好適な実施形態を挙げて、添付図面を参照しながら以下説明する。
【０００７】
図１は本発明に係る電解水生成装置の実施形態であって、電解水生成装置１０は電解槽１１、供給管路２２、排出管路２４、濃塩水タンク２６、補給管路２８および送出ポンプ（チュービングポンプ）３０とから構成されている。
前記電解槽１１は内部を陽極室１２と陰極室１４とに仕切る隔膜１６と、陽極室１２内に配設された陽極板１８と、陰極室１４内に配設された陰極板２０とから構成されている。
前記チュービングポンプ３０は図２に示すようにモータ（図示せず）の回転軸にローラヘッド３２が取付けられ、このローラヘッド３２の周辺部にはその一部をローラヘッド３２の外周面から突出させた複数のローラ３４が回転自在に保持されている。前記補給管路２８はシリコン樹脂等の柔軟な材料で形成されたチューブであって、前記ローラヘッド３２とチューブ受け皿３６との間ではチューブが変形することなく介在し、また、ローラ３４とチューブ受け皿３６との間ではチューブが濃塩水が流通できない程度圧縮変形して介在する。前記ローラヘッド３２が図示された矢印のように左回りに回転駆動すると前記ローラ３４は補給管路２８の上流から下流に向けて移動し、濃塩水は前記供給管路２２に向けて押出される。
【０００８】
以上のように構成した電解水生成装置では、水道水等の原水が流通する供給管路２２に前記チュービングポンプ３０で濃塩水を押出すので、図３の実線で示すように、従来のパルス駆動型ポンプ（点線）と比べ平均的に原水に添加することができ、塩濃度のムラが少ない被処理水（希塩水）を生成することができるので、電解電流が安定し、一定能力（ｐＨ、ＯＲＰ等）の電解水を生成することができる。この原水に濃塩水が添加されてできた被処理水（希塩水）は電解槽１１に供給され、電極板１８、２０に電圧を印加することによって、陽極室１２側にはｐＨの低い酸性電解水が生成され、陰極室１４側にはｐＨの高いアルカリ性電解水が生成される。これらの酸性電解水とアルカリ性電解水は前記排出管路２４から電解水生成装置１０外部に排出され、殺菌用水や洗浄用水として適宜使用される。
【０００９】
なお、本実施形態では電解助剤として食塩で説明したが、これに限定されるものではなく、塩化カリウム、乳酸カルシウムおよび塩酸等のように電解助剤であれば適用できる。また、本実施形態では電解槽として有隔膜電解槽で説明したが、これに限定されるものではなく、無隔膜電解槽でも適用できる。
【００１０】
【発明の効果】
以上説明した如く、本発明に係る電解水生成装置によれば、送出ポンプとしてチュービングポンプを適用したので、濃度ムラの少ない被処理水を生成することができることで、安定した能力の電解水を生成することができる。
【図面の簡単な説明】
【図１】本発明の実施形態に係る電解水生成装置の概略図である。
【図２】本発明の実施形態に係る電解水生成装置の送出ポンプ（チュービングポンプ）の概略図である。
【図３】本発明の実施形態に係る電解水生成装置の濃度／時間を表すグラフである。
【符号の説明】
１０    電解水生成装置
１１    電解槽
２２    供給管路
２４    排出管路
２８    補給管路
３０    送出ポンプ（チュービングポンプ）
【図１】
2004148220.tif 000003
【図２】
2004148220.tif 000004
【図３】
2004148220.tif 000005